(57)【要約】【課題】ユーザに所望するサービスの提供できるサービス提供システムを提供する。【解決手段】ユーザは、サービスの提供を受けようとする店舗に、記録媒体であるカード３を持参する。サービスを提供する店舗に備えられる店舗ＰＣ２では、カード３からユーザ情報等が読出され、どの店舗であっても、読出されたユーザ情報等に基づいて同様のサービスを提供できる。さらに店舗ＰＣ２では、記録されているユーザＩＤが認証されたカード３に、提供したサービスの情報と、当該店舗の会員向けの店舗情報が掲載されているサイトのＵＲＬとを記録する。ユーザがユーザＰＣ１を用いてカード３を読込むと、自動的にカード３に記録されているプログラムが実行され、店舗のサイトや、ヘアスタイルのシミュレーションなどを行なうことができる。【選択図】        図１
2004240647.tif 000002
【特許請求の範囲】
【請求項１】
記録媒体にサービス提供情報とユーザ情報とを含む情報を書込む書込装置と、
前記記録媒体より前記サービス提供情報を読込む読込装置とを含むサービス提供システムであって、
前記書込装置は、前記記録媒体に書込まれている情報に応じたプログラムを実行して、前記記録媒体に前記情報を書込む、サービス提供システム。
【請求項２】
前記サービス提供情報は、サービスを提供した店舗の情報にアクセスするための情報を含み、
前記読込装置は、前記記録媒体から読込んだ前記サービス提供情報に含まれる前記店舗の情報にアクセスするための情報に基づいて、自動的に前記店舗の情報を取得する、請求項１に記載のサービス提供システム。
【請求項３】
前記サービス提供情報は、サービスを提供した店舗が登録しているサービス情報にアクセスするための情報を含み、
前記読込装置は、前記記録媒体から読込んだ前記サービス提供情報に含まれる前記店舗が登録しているサービス情報にアクセスするための情報に基づいて、自動的に前記サービス情報の情報を取得する、請求項１または２に記載のサービス提供システム。
【請求項４】
前記書込装置は、前記サービス提供情報と前記ユーザ情報との、前記書込装置への保存を制御する制御装置をさらに備える、請求項１〜３のいずれかに記載のサービス提供システム。
【請求項５】
前記記録媒体は、カード形態の書換え可能な小型光ディスク記録媒体である、請求項１〜４のいずれかに記載のサービス提供システム。
【発明の詳細な説明】
【０００１】
【発明の属する技術分野】
この発明はサービス提供システムに関し、特に、ユーザが所望するサービスを享受できるサービス提供システムに関する。
【０００２】
【従来の技術】
ユーザが美容サービスを受ける場合、特定の店舗において美容サービスを受けることが多い。例えば、ヘアカットを行なう場合、ユーザは、決まった美容院に行く場合が多い。そのような場合、当該店舗には、当該ユーザのカルテ等で、提供したサービスの履歴や当該ユーザが希望するヘアスタイル等の情報が蓄積されている場合が多い。また、決まった提供者（担当者）が当該ユーザのヘアカットを行なう場合も多い。
【０００３】
しかし、ユーザには、上述のような特定の店舗に限定されず、他の店舗にてさらによい美容サービスの提供を受けたいという要望が強い。
【０００４】
そのような場合、一般的には雑誌やインターネットを用いて所望のサービスを提供する店舗を検索することがなされている。そして、検索された初めて行く店舗において、ユーザは、雑誌等での選択や、口頭での説明で、希望するヘアスタイルをオーダーしなければならない。そのため、所望するヘアスタイルが実現しないといった問題が発生する場合もある。
【０００５】
このような問題を解決するために特許文献１においては、顧客情報を共有することで顧客に満足するサービスを提供することのできる理美容院の顧客情報共有化システムおよび理美容院の顧客情報共有化方法について開示されている。
【０００６】
【特許文献１】
特開２００１−３４４３３６号公報
【０００７】
【発明が解決しようとする課題】
しかしながら、上述の特許文献１において開示されているような理美容院の顧客情報共有化システムおよび理美容院の顧客情報共有化方法を用いる場合、顧客情報を共有化するために、美容情報とユーザを特定するための情報とを対応付けてサーバに蓄積する必要があり、ユーザの個人情報のプライバシーの保護が確立できない場合もあるという問題がある。
【０００８】
また、ユーザは、このような理美容院の顧客情報共有化システムを導入している店舗でしか、所望する美容サービスを受けることができないという問題がある。
【０００９】
さらに、ユーザにとっては、所望するサービスを提供する店舗や、ユーザによって行き勝手のよい店舗を検索することが難しいという問題もある。
【００１０】
本発明はこれらの問題に鑑みてなされたものであり、ユーザに所望するサービスの提供と、サービスを提供する店舗の情報の提供とを行なうことで、ユーザに所望するサービスを提供できるサービス提供システムを提供することを目的とする。
【００１１】
【課題を解決するための手段】
上記目的を達成するために、本発明のある局面に従うと、サービス提供システムは、記録媒体にサービス提供情報とユーザ情報とを含む情報を書込む書込装置と、記録媒体よりサービス提供情報を読込む読込装置とを含むサービス提供システムであって、書込装置は、記録媒体に書込まれている情報に応じたプログラムを実行して、記録媒体に情報を書込む。
【００１２】
また、上述のサービス提供情報は、サービスを提供した店舗の情報にアクセスするための情報を含み、読込装置は、記録媒体から読込んだサービス提供情報に含まれる店舗の情報にアクセスするための情報に基づいて、自動的に店舗の情報を取得することが望ましい。
【００１３】
また、上述のサービス提供情報は、サービスを提供した店舗が登録しているサービス情報にアクセスするための情報を含み、読込装置は、記録媒体から読込んだサービス提供情報に含まれる店舗が登録しているサービス情報にアクセスするための情報に基づいて、自動的にサービス情報の情報を取得することが望ましい。
【００１４】
また、上述の書込装置は、サービス提供情報とユーザ情報との、書込装置への保存を制御する制御装置をさらに備えることが望ましい。
【００１５】
また、上述の記録媒体は、カード形態の書換え可能な小型光ディスク記録媒体であることが望ましい。
【００１６】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１７】
図１は、本実施の形態におけるサービス提供システムの構成を示す図である。
図１を参照して、本実施の形態におけるサービス提供システムは、ユーザの備えるパーソナルコンピュータ（以下、ユーザＰＣという）１と、美容院等の美容サービスを提供する店舗に備えられるＰＣ（以下、店舗ＰＣという）２と、サーバ４とを含む。
【００１８】
ユーザＰＣ１は、情報記録媒体であるカード３から情報を読出す装置を備える。また、ユーザＰＣ１は、インターネットを介してサーバ４と情報の送受信を行なう。
【００１９】
店舗ＰＣ２は、デジタルカメラ２２から画像情報の入力を受付ける。また、カード３に情報の書込みおよび読出しを行なう装置を備える。さらに、店舗にはプリンタ２３が備えられ、店舗ＰＣ２からプリントデータが出力される。また、店舗ＰＣ２も通信手段を備え、インターネットを介してサーバ４と情報の送受信を行なう。
【００２０】
本実施の形態においては、このようなサービス提供システムにおいて、美容サービスを提供する店舗が、店舗ＰＣ２を用いて専用のサイト（以下、店舗サイトという）に会員向けの当該店舗の広告等の店舗情報を掲載する。このような店舗情報はサーバ４に蓄積され、美容サービスの提供を受けようとする会員登録を行なったユーザは、ユーザＰＣ１を用いて店舗サイトを閲覧することができる。
【００２１】
本実施の形態においては、カード３は、所定のプログラムや、その他の情報を記録する。なお、以下においてカード３はカード式のＣＤ−ＲＷ（書換え可能な小型光ディスク；Ｃｏｍｐａｃｔ  Ｄｉｓｋ  ｒｅｗｒｉｔａｂｌｅ）であるものとして説明を行なう。そのため、上述のユーザＰＣが備えるカード３を読込む装置はＣＤ−ＲＷドライブ１１であり、店舗ＰＣ２が備えるカード３を読込む装置はＣＤ−ＲＷドライブ２１である。なお、カード３は、画像情報等の書込みおよび読出しが可能な記録媒体であればＣＤ−ＲＷに限定されるものではなく、ＩＣチップ、ＣＤ−Ｒ（書込み可能な小型光ディスク；ＣＤ−Ｒｅｃｏｒｄａｂｌｅ）、ＤＶＤ（Ｄｉｇｉｔａｌ  Ｖｅｒｓａｔｉｌｅ  Ｄｉｓｃ：大容量光ディスク）、ＤＶＤ−Ｒ（書込み可能なＤＶＤ）、ＤＶＤ−ＲＡＭ（Ｒａｎｄｏｍ  Ａｃｃｅｓｓ  Ｍｅｍｏｒｙ；書換え可能なＤＶＤ）、フレキシブルディスク、ハードディスクカード等の、その他のカード式記憶媒体あるいは携帯可能な小型の記憶媒体であってもよい。その場合、上述のユーザＰＣ１および店舗ＰＣ２は、ＣＤ−ＲＷドライブ１１およびＣＤ−ＲＷドライブ２１に替えて、その記録媒体に対して情報の書込みおよび読出しを行なうことのできる装置を備える。
【００２２】
さらに、図２は、ユーザＰＣ１の構成を示すブロック図である。
図２を参照して、ユーザＰＣ１は、ユーザＰＣ全体の制御を行なう制御部１０１と、制御部１０１で実行されるプログラム等を記憶する記憶部１０２と、ディスプレイ等から構成される表示部１０３と、マウスやキーボード等から構成される入力部１０４と、インターネットを介して通信を行なうための通信Ｉ／Ｆ１０５とを含む。
【００２３】
上述のＣＤ−ＲＷドライブ１１は、ユーザＰＣ１に備えられているものであってもよいし、ユーザＰＣ１の外部にあってユーザＰＣ１と接続されているものであってもよい。
【００２４】
なお、上述のユーザＰＣ１の構成は、一般的なパーソナルコンピュータの構成であって、ユーザＰＣ１の構成は、上述の構成に限定されるものではない。
【００２５】
次に、図３は、店舗ＰＣ２の構成を示すブロック図である。
図３に示される店舗ＰＣ２も、上述のユーザＰＣ１と同様に、制御部２０１と、記憶部２０２と、表示部２０３と、入力部２０４と、通信Ｉ／Ｆ２０５と、デジタルカメラＩ／Ｆ２０６とを含む。また、ＣＤ−ＲＷドライブ２１は、店舗ＰＣ２に備えられているものであってもよいし、外部にあって店舗ＰＣ２と接続されているものであってもよい。
【００２６】
上述の記憶部２０２は、制御部２０１で実行するプログラムや、当該店舗に固有の情報や、顧客の情報を記憶する顧客ＤＢ（データベース）を含む。
【００２７】
また、上述の入力部２０４は、ＣＤやＣＤ−Ｒ等の光ディスクや、フレキシブルディスク等の磁気ディスク等の記録媒体の読取りも行なうものとする。そして、入力部２０４において上述の記録媒体を読取ってソフトウェアをインストールし、以下に説明する店舗ＰＣ２における処理が実行される。
【００２８】
次に、図４は、サーバ４の構成を示すブロック図である。
図４を参照して、サーバ４は、サーバ４全体の制御を行なう制御部４０１と、記憶部４０２と、インターネットを介して通信を行なうための通信Ｉ／Ｆ４０４とを含む。記憶部４０２は、店舗サイトの情報と当該店舗との対応を記憶するサイトＤＢや、各店舗が登録するヘアスタイル画像と当該店舗との対応を記憶するヘアスタイル情報ＤＢや、制御部４０１で実行するプログラムを含む。
【００２９】
このようなサービス提供システムにおいて、次のようなサービス提供処理が実行される。
【００３０】
図５は、カード３を挿入することで各ＰＣにおいて実行される処理を示すフローチャートである。すなわち、図５を参照して、カード３をユーザＰＣ１あるいは店舗ＰＣ２に挿入すると、ユーザＰＣ１の制御部１０１あるいは店舗ＰＣ２の制御部２０１はカード３に記憶されるプログラムを自動的に読出し、当該ＰＣがユーザＰＣ１であるか店舗ＰＣ２であるかを判定する（Ｓ０）。ここでは、カード３に記憶されているＰＣ判別用のプログラムが実行され、各ＰＣの記憶部１０２あるいは記憶部２０２の所定領域を自動的に読出してそこに記憶されている情報に基づいて、当該ＰＣがユーザＰＣ１であるか店舗ＰＣ２であるかを判定する。すなわち、当該記憶部の所定領域に店舗固有情報が含まれている場合には、当該ＰＣが店舗ＰＣ２であると判定し、店舗固有情報が含まれていない場合には、当該ＰＣがユーザＰＣ１であると判定する。
【００３１】
そして、その判定結果によって、店舗ＰＣ処理（Ｓ１）あるいはユーザＰＣ処理（Ｓ２）を、各ＰＣに実行させる。
【００３２】
上述のステップＳ１で実行される店舗ＰＣ処理について、図６のフローチャートを用いて説明する。ステップＳ１で実行される店舗ＰＣ処理は、カード３を持ったユーザが美容院等の美容サービスを提供する店舗に行って、当該カード３を店舗ＰＣ２に挿入すると実行される。
【００３３】
図６を参照して、当該ＰＣが店舗ＰＣ２であると判定されると（Ｓ０）、始めに、店舗ＰＣ２の記憶部２０２に記憶されている所定のプログラムを起動させる（Ｓ１０１）。ステップＳ１０１で起動される所定のプログラムは、予め本サービス提供システムに加入している店舗ＰＣ２にインストールされているソフトウェアである。
【００３４】
上述の所定のプログラムが起動すると、挿入されているカード３に記憶されている情報に基づいて、以降の処理を決定する（Ｓ１０３）。ステップＳ１０３では、カード３に記憶されている当該ユーザの来店情報を読出し、記憶部２０２に含まれる顧客ＤＢを参照して、当該ユーザが初来店のユーザであるか、すでに来店しているユーザであるかを判定する。
【００３５】
そして、その判定結果に応じたプログラムを起動させる。すなわち、当該ユーザが初来店のユーザであると判定された場合には、ステップＳ１０３で初来店者用の処理を行なうことを決定し、初来店者用のプログラムを起動させる（Ｓ１０３で「初来店者」）。あるいは、当該ユーザがすでに以前に来店しているユーザであると判定された場合には、ステップＳ１０３で来店済者用の処理を行なうことを決定し、来店済者用のプログラムを起動させる（Ｓ１０３で「来店済者」）。
【００３６】
ステップＳ１０３で初来店者用のプログラムが起動されると、ステップＳ１０５では初来店者用の処理が実行される。すなわち、新規のユーザの情報を登録するための伝票作成処理が実行される。具体的には、カード３の所定の領域から当該ユーザの情報を読出して、新規のユーザのための伝票を作成する。さらに、当該新規のユーザに対して顧客ナンバーを割振り、記憶部２０２の顧客ＤＢに登録する処理などを実行する。なお、ここでの処理は、このような処理に限定されず、その他の処理であってもよい。
【００３７】
一方、ステップＳ１０３で来店済者用のプログラムが起動されると、ステップＳ１０７では来店済者用の処理が実行される。すなわち、すでに来店しているユーザの情報を確認するための伝票／写真表示処理が実行される。また、ここでは、ユーザ情報の変更を受付ける処理がなされてもよいし、当該伝票をプリンタ２３で印刷する処理などがなされてもよい。
【００３８】
当該ユーザに対してヘアカットなどの美容サービスの提供が行われると、美容サービス提供後の当該ユーザの写真をデジタルカメラ２２で撮影し、デジタルカメラＩ／Ｆ２０６を介して取込む（Ｓ１０９）。
【００３９】
そして、記憶部２０２に記憶されている店舗固有情報である店番号や記憶部２０２に記憶されている当該ユーザに対して割振られている顧客ナンバーや来店の日付けなどの情報と共に、ユーザへ提供したサービス提供情報として、ステップＳ１０９で取込まれたユーザの写真データを、カード３に書込む（Ｓ１１１）。
【００４０】
以上でステップＳ１に示された店舗ＰＣ処理を終了する。
次に、上述のステップＳ２で実行されるユーザＰＣ処理について、図７のフローチャートを用いて説明する。ステップＳ２で実行されるユーザＰＣ処理は、ユーザが自宅のＰＣ等に当該カード３を挿入すると実行される。
【００４１】
図７を参照して、当該ＰＣがユーザＰＣ１であると判定されると（Ｓ０）、ユーザＰＣ１の制御部１０１に対して、カード３に記憶されているユーザＰＣ１用のプログラムを読出して実行させる（Ｓ２０１）。
【００４２】
ユーザＰＣ１用のプログラムを起動すると、始めに、図示しないメニュー画面を表示部１０３に表示し、入力部１０４から以降の処理の選択を受付ける（Ｓ２０３）。ここでは様々な処理が考えられるが、具体的に、店舗サイトを閲覧するサイト閲覧処理（Ｓ２０５）と、髪型のサンプル写真であるヘアスタイル画像を用いてシミュレーションを行なうヘアシミュレーション処理（Ｓ２０７）とを、ステップＳ２０３での選択に応じて実行するものとする。このような処理は、例えばメニュー画面に表示される「店舗サイト閲覧」や「ヘアシミュレーション」などのボタンをクリックすることで選択され、自動的にステップＳ２０５あるいはステップＳ２０７の処理に以降する。
【００４３】
さらに、ここでのその他の処理としては、例えば、カード３に記憶されている当該ユーザのヘアスタイルの履歴を閲覧する処理や、サーバ４で提供されている各種エンタテイメント広告を閲覧する処理などが挙げられる。なお、ステップＳ２０５およびステップＳ２０７における処理については、後に説明する。
【００４４】
以上の処理は、カード３に記憶されているプログラムおよび店舗ＰＣ２に予めインストールされているプログラムによって実行される処理である。そこで、各プログラムでの上述の処理の流れを図８に模式的に示す。
【００４５】
図８を参照して、始めにカード３に記憶されるＰＣ判別ソフトウェアが起動することで、挿入されたＰＣの記憶部を読出し、各ＰＣがユーザＰＣ１であるか店舗ＰＣ２であるかを判別する。さらに、店舗ＰＣ２である場合には、店舗ＰＣ２の記憶部２０２に含まれる顧客ＤＢと、カード３に記憶される来店履歴情報とを参照して、当該ユーザが初来店のユーザであるか、以前に来店済みのユーザであるかを判別する。そして、その判別結果に応じて、店舗ＰＣ２に予めインストールされている初来店者用ソフトウェアあるいは来店済者用ソフトウェアに対して起動を要求する。
【００４６】
挿入されたＰＣがユーザＰＣ１である場合には、カード３に記憶されているユーザＰＣ用ソフトウェアに対して起動を要求する。ユーザＰＣ用ソフトウェアが起動すると、ユーザからの選択に応じて各種処理を実行する。
【００４７】
ユーザＰＣ用ソフトウェア実行時に店舗サイト閲覧処理や各種エンタテイメント広告閲覧処理などが選択された場合には、ユーザＰＣ１をサーバ４に接続させる処理を行なう。具体的には、ユーザＰＣ１に予めインストールされているＩｎｔｅｒｎｅｔ  Ｅｘｐｌｏｒｅｒ（Ｒ）などのウェブサイト閲覧用のソフトウェアに対して起動を要求し、自動的に、所定のサイト（店舗サイトや、エンタテイメント広告サイトなど）に接続させる処理を行なう。
【００４８】
ユーザＰＣ用ソフトウェア実行時にヘアシミュレーション処理が選択された場合には、カード３に記憶されている髪型のサンプル写真であるヘアスタイル画像と、カード３に記憶されている当該ユーザの写真とを用いて、当該ユーザをそのヘアスタイルとするヘアシミュレーション処理を行なう。ここでの処理は、一般的に用いられている画像解析および画像処理技術を用いて実現することができる。その具体例としては、ユーザの写真の髪部分を抽出し、ヘアスタイル画像の髪部分と画像合成する処理が挙げられる。なお、ここでは、ユーザがそのヘアスタイルにした場合のイメージを表示することを目的とするため、画像を合成する処理においては、顔の輪郭や肌の色彩などはユーザの写真の情報を優先的に用いて合成することが好ましい。
【００４９】
ユーザＰＣ用ソフトウェア実行時にヘアスタイル履歴閲覧処理が選択された場合には、カード３に記憶されている来店履歴情報を参照して、カード３に記憶されている当該ユーザの履歴画像の最新の画像を読出して表示部１０３に表示させる処理を実行する。あるいは、来店履歴に含まれる以前来店した店舗の選択を受付けることで、当該店舗に関連付けてカード３に記憶されているユーザの履歴画像、つまり、当該店舗で美容サービスを受けた際のユーザの写真を読出して表示部１０３に表示させてもよい。
【００５０】
以上が、カード３を各ＰＣに挿入した際に実行される処理の流れである。このように、本サービス提供システムでは、カード３をＰＣに挿入するだけで、適切なソフトウェアが起動されることを特徴とする。このため、ユーザや店舗は、難しい操作を行なう必要はなく、カード３を挿入するだけで、所望する処理を容易に実行することができる。
【００５１】
次に、上述のステップＳ２０５でユーザＰＣ１において実行される店舗サイト閲覧処理を含めて、当該サービス提供システムでの店舗サイト登録／閲覧処理について説明する。
【００５２】
図９に、店舗ＰＣ２を用いて店舗サイトをサーバ４に登録する処理を示す。図９を参照して、店舗ＰＣ２は、予め記憶部２０２にインストールされている登録用ソフトウェアを起動させる。すなわち、制御部２０１は、記憶部２０２に記憶されている店舗サイト情報登録用のプログラムを読出して実行する。
【００５３】
始めに、図示しない入力画面を表示部２０３に表示させ、店舗サイトとして登録するテキストなどの店舗情報や店の写真などの画像情報の入力を受付ける。ここでは、予めウェブサイトとして公開される店舗サイトのフォーマットは所定のフォーマットに設定されており、各店舗ＰＣ２は、当該フォーマットの所定箇所に表示させたい店舗情報や画像情報を入力する。そして、入力が完了すると、店舗情報と画像情報とは、自動的に店舗ＰＣ２の通信Ｉ／Ｆ２０５からインターネットを介してサーバ４に送られる。
【００５４】
店舗ＰＣ２から送られた店舗情報と画像情報とを受信したサーバ４は、ＦＴＰ（Ｆｉｌｅ  Ｔｒａｎｓｆｅｒ  Ｐｒｏｔｏｃｏｌ）によってデータやファイルの転送を行なうプログラム（ＵＮＩＸ（Ｒ）システムにおいてはＦＴＰデーモンと呼ばれ、以下、このプログラムをＦＴＰデーモンという）を記憶し、サーバ４の制御部４０１が当該ＦＴＰデーモンを実行することで、受信した店舗情報と画像情報とを記憶部４０２に転送する。すなわち、受信した店舗情報と画像情報とが記憶部４０２に記憶される。また、ＦＴＰデーモンを実行することで、店舗ＰＣ２に対して、当該店舗情報と画像情報とを受信した旨の報告を行なう。
【００５５】
次に、店舗ＰＣ２では店舗サイト情報登録用のプログラムが実行されることで、先に送信した店舗情報と画像情報とをウェブサイトとして登録するようサーバ４に対して要求を行なう。
【００５６】
店舗ＰＣ２から登録の要求を受けたサーバ４は、ＨＴＴＰ（Ｈｙｐｅｒｔｅｘｔ  Ｔｒａｎｓｆｅｒ  Ｐｒｏｔｏｃｏｌ）によって店舗ＰＣ２とＨＴＭＬ（Ｈｙｐｅｒｔｅｘｔ  Ｍａｒｋｕｐ  Ｌａｎｇｕａｇｅ）文書をやり取りするプログラム（ＵＮＩＸ（Ｒ）システムにおいてはＨＴＴＰデーモンと呼ばれ、以下、このプログラムをＨＴＴＰデーモンという）を記憶し、サーバ４の制御部４０１が当該ＨＴＴＰデーモンを実行することで、受信した要求をサーバ４に記憶されるウェブ登録用のソフトウェアに転送する。そして、サーバ４の制御部４０１は、当該ソフトウェアを実行して、当該店舗の店舗サイトを登録する。具体的には、記憶部４０２より受信した店舗情報，画像情報を参照して、当該情報を識別する識別情報を当該情報に割振り、当該情報の識別情報と当該店舗の固有情報である店番号とを対応付けて、記憶部４０２に含まれるサイト情報ＤＢに登録する。すなわち、記憶部４０２に含まれるサイト情報ＤＢには、店舗情報，画像情報と店番号との関係が記憶される。そして、当該登録が完了した旨をＨＴＴＰデーモンに送り、制御部４０１がＨＴＴＰデーモンを実行することで、店舗ＰＣ２に対して、店舗サイトが登録された旨の報告を行なう。
【００５７】
さらに、すでに登録されている店舗サイトの店舗情報や画像情報を修正したり更新したりする処理も、上述と同様の処理で行なうことができる。
【００５８】
次に、図１０に、ユーザＰＣ１を用いて店舗サイトを閲覧する、ステップＳ２０５における処理を示す。図１０を参照して、ユーザＰＣ１の制御部１０１がカード３に記憶されているユーザＰＣ用ソフトウェアを実行している状態でステップＳ２０３でサイト閲覧処理の実行が決定されると、すなわち、上述のように「店舗サイト閲覧」が選択されると、始めに、カード３に記憶されている来店履歴情報を参照して、一番最後に来店した（最新の）店舗の店番号が読出される。そして、当該店舗の店舗サイトを閲覧するために、ユーザＰＣ１に予めインストールされているウェブサイト閲覧用のソフトウェアに当該店番号を渡し、起動を要求する。
【００５９】
この要求を受けてユーザＰＣ１の制御部１０１がウェブサイト閲覧用のソフトウェアを実行すると、当該ソフトウェア固有の方法でサーバ４に対して店舗サイト閲覧要求が送信される。このとき、カード３のユーザＰＣ用ソフトウェアから渡された店番号を付加してサーバ４に対して閲覧要求を行なう。
【００６０】
ユーザＰＣ１から店番号が付加された閲覧要求を受けたサーバ４では、制御部４０１がＨＴＴＰデーモンを実行することで、サーバ４に記憶されるウェブ閲覧用のソフトウェアに転送する。
【００６１】
次に、サーバ４の制御部４０１が当該ソフトウェアを実行することで、受取った店番号に基づいて記憶部４０２にあるサイト情報ＤＢを参照し、当該店番号に対応付けられている店舗情報と画像情報とを記憶部４０２から抽出する。さらに、店舗サイト用の（図示しない）所定のフォーマットも記憶部４０２から読出し、抽出した店舗情報，画像情報を当該フォーマットに埋込み、ウェブサイトとして閲覧可能な店舗サイトの情報を生成する。そして、生成されたウェブサイト情報をＨＴＴＰデーモンに転送する。
【００６２】
ＨＴＴＰデーモンに転送されたウェブサイト情報は、制御部４０１がＨＴＴＰデーモンを実行することで、通信Ｉ／Ｆ４０４からインターネットを介してユーザＰＣ１に送信される。
【００６３】
サーバ４からウェブサイト情報を受信したユーザＰＣ１では、制御部１０１がウェブサイト閲覧用のソフトウェアを実行することで、表示部１０３に当該店舗サイトを表示させる。なお、ユーザＰＣ１では、店舗サイト閲覧要求を行なってから、店舗サイトが表示されるまでの間、図示しない広告用の画面が表示されることが好ましい。これは、ユーザＰ１から閲覧要求を受けたサーバ４が、ウェブサイト情報を生成して送信するまでの間に、所定のウェブサイト情報をユーザＰＣ１に送信することで実現される。
【００６４】
以上が、店舗サイトの当該サービス提供システムでの店舗サイト登録／閲覧処理である。さらに、上述の処理の流れを図１１に模式的に示す。
【００６５】
図１１を参照して、店舗ＰＣ２においては、予めインストールされている登録用ソフトウェアを起動させ、店舗サイトに載せる店舗情報や画像情報を入力する。そして、その情報を、インターネットを介してサーバ４に送信する。
【００６６】
サーバ４では、店舗ＰＣ２から受信した店舗情報や画像情報を記憶部４０２に格納する。さらに、その店舗情報，画像情報と当該店舗の店番号との対応をサイト情報ＤＢに登録する。
【００６７】
店舗ＰＣ２では、上述のステップＳ１１１での処理を実行し、来店したユーザのカード３に来店履歴を書込む。店舗サイトを閲覧する場合には、ユーザＰＣ１でカード３に書込まれた来店履歴から最新のあるいは所望する店舗の店番号を取得し、その店番号と共に店舗サイトの閲覧要求をインターネットを介してサーバ４に送る。
【００６８】
サーバ４では、ユーザＰＣ１から受取った店番号に基づいて、サイトＤＢを参照して、当該店番号に対応付けられている店舗情報，画像情報を記憶部４０２から読出す。そして、読出した店舗情報，画像情報が記載されたウェブサイトの情報を生成し、ユーザＰＣ１に対して送信する。
【００６９】
以上が当該サービス提供システムでの店舗サイト登録／閲覧処理の流れである。このように、本サービス提供システムでは、各店舗において完全なウェブサイト情報を作成することなく、所定のフォーマットに埋込むための店舗情報および画像情報をサーバ４に登録するだけで当該店舗のサイトを作成することができる。このため、店舗は難しい操作を行なう必要はなく、適当な情報を入力するだけで、効果的なウェブサイトを容易に作成することができる。
【００７０】
また、サーバ４で各店舗ごとに管理する情報がウェブサイト情報ではなく、所定のフォーマットに埋込むための店舗情報および画像情報であるため、店舗ごとに完全なウェブサイト情報を管理する場合に比べて、管理する情報量を少なくすることができる。
【００７１】
また、ユーザは、カード３をＰＣに挿入して「店舗サイト閲覧」を選択するだけで、自動的に最後に行った店舗の店舗サイトを閲覧することができる。このため、ユーザは難しい操作を行なう必要はなく、インターネットに不慣れなユーザであっても、容易に当該店舗の情報を得ることができる。さらに、ここで他店の広告などを自動的に表示させることで、広告効果がより高められる。
【００７２】
次に、上述のステップＳ２０７でユーザＰＣ１において実行されるヘアシミュレーション処理について説明する。上述では、ステップＳ２０７において、カード３に記憶されているヘアスタイル画像を用いてヘアシミュレーション処理を行なう場合について述べたが、各店舗がサーバ４に登録したサービス情報であるヘアスタイル画像を用いてヘアシミュレーション処理を行なうことも考えられる。そこで、この場合のステップＳ２０７でユーザＰＣ１において実行されるヘアシミュレーション処理を含めて、当該サービス提供システムでのヘアスタイル画像登録／閲覧処理について説明する。
【００７３】
図１２に、店舗ＰＣ２を用いてヘアスタイル画像をサーバ４に登録する処理を示す。図１２を参照して、店舗ＰＣ２は、予め記憶部２０２にインストールされている写真データを加工するソフトウェアを起動させ、デジタルカメラＩ／Ｆ２０６から読込んだ写真データ、あるいはＣＤ−ＲＷドライブ２１で他の記録媒体から読込んだ写真データ、あるいは通信Ｉ／Ｆ２０５でインターネットからダウンロードすることで読込んだ写真データに対して加工を行なう。ここでの加工は、当該写真データをサーバ４に登録するヘアスタイル画像に加工するための画像加工であって、例えば、写真データに含まれる髪部以外（目や鼻など）の要素を消去する処理や、髪の色を変更してバリエーションをつける処理などである。
【００７４】
そして、加工が完了して記憶部２０２に格納した加工データを、サーバ４に送信するためのソフトウェアに渡す。
【００７５】
加工した画像データであるヘアスタイル画像をサーバ４に登録するときに、店舗ＰＣ２は、送信用のソフトウェアを起動させ、始めに、サーバ４に対して、すでに登録しているヘアスタイル画像についての情報（以下、ヘアスタイル情報という）を要求する。
【００７６】
サーバ４において、各店舗ＰＣ２から登録されたヘアスタイル画像は記憶部４０２に記憶される。さらに、ヘアスタイル画像を識別する識別情報と当該店舗の固有情報である店番号とが対応付けられて、記憶部４０２に含まれるヘアスタイル情報ＤＢに登録される。すなわち、ヘアスタイル画像には記憶部４０２に記憶され、ヘアスタイル情報ＤＢにはヘアスタイル画像と店番号との関係が記憶される。
【００７７】
店舗ＰＣ２からヘアスタイル情報の取得を要求されたサーバ４では、制御部４０１がＨＴＴＰデーモンを実行することで、サーバ４に記憶されるヘアスタイル画像登録用のソフトウェアに転送する。
【００７８】
次に、サーバ４の制御部４０１が当該ソフトウェアを実行することで、ヘアスタイル情報の要求に含まれている店番号に基づいて、記憶部４０２にあるヘアスタイル情報ＤＢを参照し、当該店舗に対応するヘアスタイル情報を取得してＨＴＴＰデーモンに転送する。
【００７９】
ＨＴＴＰデーモンに転送されたヘアスタイル情報は、制御部４０１がＨＴＴＰデーモンを実行することで、通信Ｉ／Ｆ４０４からインターネットを介して店舗ＰＣ２に送信される。なお、ここでサーバ４から店舗ＰＣ２に送信されるヘアスタイル情報は、当該店舗と対応付けられて登録されているヘアスタイル画像の識別情報である画像番号や画像名などの情報であってもよいし、当該店舗と対応付けられて登録されているヘアスタイル画像を示す画像やサムネイルなどであってもよい。
【００８０】
サーバ４からヘアスタイル情報を受信した店舗ＰＣ２では、制御部２０１において、登録しようとしているヘアスタイル画像がすでに登録されているものでないことを確認するなどの処理を行なった後、新たなヘアスタイル画像の登録をサーバ４に対して要求する。
【００８１】
店舗ＰＣ２からヘアスタイル画像の登録を要求されたサーバ４では、制御部４０１がＨＴＴＰデーモンを実行することで、サーバ４に記憶されるヘアスタイル画像登録用のソフトウェアに転送し、記憶部４０２にあるヘアスタイル情報ＤＢを参照して登録の可否を判断した後、ヘアスタイル画像の登録を承認する通知、ＨＴＴＰデーモンに転送する。ここでの判断は、例えば、各店舗がサーバ４に所定の数（あるいはデータ量）のヘアスタイル画像の登録が許可されている場合には、当該店舗がすでに登録しているヘアスタイル画像の数（あるいはデータ量）に基づいて登録が可能か否かの判断するなどが挙げられる。そして、新規のヘアスタイル画像に割振る識別情報と、当該店舗の店番号とを対応付けて、記憶部４０２に含まれるヘアスタイル情報ＤＢに登録する。すなわち、記憶部４０２に含まれるヘアスタイル情報ＤＢには、これから店舗ＰＣ２より受信する新規のヘアスタイル情報と店番号との関係が記憶される。
【００８２】
ＨＴＴＰデーモンに転送されたヘアスタイル画像の登録を承認する通知は、制御部４０１がＨＴＴＰデーモンを実行することで、通信Ｉ／Ｆ４０４からインターネットを介して店舗ＰＣ２に送信される。
【００８３】
サーバ４からヘアスタイル画像の登録を承認する通知を受信した店舗ＰＣ２では、登録しようとしているヘアスタイル画像をサーバ４に対して送信する。
【００８４】
店舗ＰＣ２からヘアスタイル画像を受信したサーバ４では、制御部４０１がＦＴＰデーモンを実行することで、受信したヘアスタイル画像を記憶部４０２に転送する。すなわち、受信したヘアスタイル画像が記憶部４０２に記憶される。また、ＦＴＰデーモンを実行することで、店舗ＰＣ２に対して、ヘアスタイル画像を受信した旨の報告を行なう。
【００８５】
次に、図１３に、ユーザＰＣ１において、各店舗がサーバ４に登録したヘアスタイル画像を用いてヘアシミュレーションを行なう場合の、ステップＳ２０７における処理を示す。図１３を参照して、ユーザＰＣ１の制御部１０１がカード３に記憶されているユーザＰＣ用ソフトウェアを実行している状態でステップＳ２０３でヘアシミュレーション処理の実行が決定されると、すなわち、上述のように「ヘアシミュレーション」が選択されると、始めに、カード３に記憶されている来店履歴情報を参照して、一番最後に来店した（最新の）店舗の店番号が読出される。そして、インターネットを介してサーバ４にアクセスするために、ユーザＰＣ１に予めインストールされているウェブサイト閲覧用のソフトウェアに、ヘアスタイル画像の閲覧要求と共に読出した店番号を渡し、起動を要求する。なお、ここでは、ユーザから取得したヘアスタイル画像を登録している店舗の選択を受付けて、その店番号をユーザＰＣ１に予めインストールされているウェブサイト閲覧用のソフトウェアに渡して起動を要求してもよい。
【００８６】
この要求を受けてユーザＰＣ１の制御部１０１がウェブサイト閲覧用のソフトウェアを実行すると、当該ソフトウェア固有の方法でサーバ４に対してヘアスタイル情報の閲覧要求が送信される。このとき、カード３のユーザＰＣ用ソフトウェアから渡された店番号を付加してサーバ４に対して閲覧要求を行なう。
【００８７】
ユーザＰＣ１から店番号が付加された閲覧要求を受けたサーバ４では、制御部４０１がＨＴＴＰデーモンを実行することで、サーバ４に記憶されるヘアスタイル閲覧用のソフトウェアに転送する。
【００８８】
次に、サーバ４の制御部４０１が当該ソフトウェアを実行することで、受取った店番号に基づいて記憶部４０２にあるヘアスタイル情報ＤＢを参照して当該店番号に対応付けられているヘアスタイル画像を示す情報を抽出する。そして、抽出されたヘアスタイル情報を閲覧するための情報（以下、ヘアスタイル閲覧情報という）を生成し、生成されたヘアスタイル閲覧情報をＨＴＴＰデーモンに転送する。ここで生成されるヘアスタイル閲覧情報は、指定された店舗と対応付けられて登録されているヘアスタイル画像の識別情報である画像番号や画像名などの情報であってもよいし、当該ヘアスタイル画像の内容を示す情報であってもよいし、当該店舗と対応付けられて登録されているヘアスタイル画像を示す画像やサムネイルなどであってもよい。
【００８９】
ＨＴＴＰデーモンに転送されたヘアスタイル閲覧情報は、制御部４０１がＨＴＴＰデーモンを実行することで、通信Ｉ／Ｆ４０４からインターネットを介してユーザＰＣ１に送信される。
【００９０】
サーバ４からヘアスタイル閲覧情報を受信したユーザＰＣ１では、制御部１０１がウェブサイト閲覧用のソフトウェアを実行することで、表示部１０３に当該ヘアスタイル閲覧情報を表示させる。
【００９１】
ユーザＰＣ１の制御部１０１がカード３に記憶されているユーザＰＣ用ソフトウェアを実行している状態で、表示部１０３に表示されたヘアスタイル閲覧情報を見たユーザからヘアシミュレーションに用いたいヘアスタイル画像の選択を受付けると、当該ヘアスタイル画像をサーバ４から取得するために、ウェブサイト閲覧用のソフトウェアにヘアスタイル画像の転送要求と共に、当該ヘアスタイル画像を識別する情報（例えばヘアスタイル番号）を渡す。
【００９２】
ユーザＰＣ１の制御部１０１がウェブサイト閲覧用のソフトウェアを実行している状態でこの要求を受けると、サーバ４に対してヘアスタイル画像の転送要求が送信される。このとき、カード３のユーザＰＣ用ソフトウェアから渡されたヘアスタイル画像を識別する情報を付加してサーバ４に対して転送要求を行なう。
【００９３】
ユーザＰＣ１からヘアスタイル画像を識別する情報が付加された転送要求を受けたサーバ４では、制御部４０１がＨＴＴＰデーモンを実行することで、サーバ４に記憶されるヘアスタイル閲覧用のソフトウェアに転送する。
【００９４】
次に、サーバ４の制御部４０１が当該ソフトウェアを実行することで、受取ったヘアスタイル画像を識別する情報に基づいて記憶部４０２にあるヘアスタイル情報ＤＢを参照し、当該ヘアスタイル画像の転送を承認する情報を生成する。生成された転送を承認する情報はＨＴＴＰデーモンに転送される。ここで生成される転送を承認する情報は、指定されたヘアスタイル画像を識別する識別情報を含む情報であって、テキスト形式の情報などである。また、ここで、ユーザＰＣ１から複数のヘアスタイル画像の転送が要求されている場合には、転送が要求されたヘアスタイル画像の数に応じた転送を承認する情報が生成される。
【００９５】
ＨＴＴＰデーモンに転送された転送を承認する情報は、制御部４０１がＨＴＴＰデーモンを実行することで、通信Ｉ／Ｆ４０４からインターネットを介してユーザＰＣ１に送信され、ユーザＰＣ１の記憶部１０２にいったん記憶される。
【００９６】
ユーザＰＣ１の制御部１０１がカード３に記憶されているユーザＰＣ用ソフトウェアを実行している状態でサーバ４から転送を承認する情報を受信すると、記憶部１０２にいったん記憶されている転送を承認する情報を全て読出し、それらの情報に含まれている全てのヘアスタイル画像の一括した転送をサーバ４に対して要求する。
【００９７】
ユーザＰＣ１から全てのヘアスタイル画像の一括した転送を要求されたサーバ４では、制御部４０１がＦＴＰデーモンを実行することで、その要求に基づいて記憶部４０２から該当するヘアスタイル画像を抽出する。そして、抽出されたヘアスタイル画像は、ユーザＰＣ１に対して送信され、ユーザＰＣ１の記憶部１０２に記憶される。
【００９８】
サーバ４から指定したヘアスタイル画像を一括して取得したユーザＰＣ１では、制御部１０１がカード３に予めインストールされているシミュレーションを行なうためのソフトウェアを実行することで、カード３に記憶されているユーザの写真と、取得したヘアスタイル画像とを合成してシミュレートする処理を実行する。そして、そのシミュレーション結果をユーザＰＣ１に渡すことで、制御部１０１は、表示部１０３にシミュレーション結果を表示させる。また、制御部１０１は、サーバ４から取得したヘアスタイル画像をそのまま記憶部１０２から読出して表示部１０３に表示させてもよい。
【００９９】
なお、ユーザＰＣ１では、上述の店舗サイト登録／閲覧処理の場合と同様に、ヘアスタイル情報の閲覧要求を行なってから、ヘアスタイル閲覧情報が表示されるまでの間、あるいは、ヘアスタイル画像の転送要求を行なってから、転送されたヘアスタイル画像が表示されるまでの間、図示しない広告用の画面が表示されることが好ましい。これは、ユーザＰ１から要求を受けたサーバ４が、送信用の情報を生成して送信するまでの間に、所定のウェブサイト情報をユーザＰＣ１に送信することで実現される。
【０１００】
以上が、店舗サイトの当該サービス提供システムでのヘアスタイル画像／閲覧処理である。さらに、上述の処理の流れを図１４に模式的に示す。
【０１０１】
図１４を参照して、店舗ＰＣ２においては、予めインストールされているヘアスタイル画像登録用ソフトウェアを起動させ、登録するヘアスタイル画像を、インターネットを介してサーバ４に送信する。その際、予めインストールされている画像データ加工用のソフトウェアを起動させて、デジタルカメラ２２から読込んだ画像データを加工して登録してもよい。
【０１０２】
サーバ４では、店舗ＰＣ２から受信したヘアスタイル画像を記憶部４０２に格納する。さらに、そのヘアスタイル画像と当該店舗の店番号との対応をヘアスタイル情報ＤＢに登録する。
【０１０３】
店舗ＰＣ２では、上述のステップＳ１１１での処理を実行し、来店したユーザのカード３に来店履歴を書込む。店舗サイトを閲覧する場合には、ユーザＰＣ１でカード３に書込まれた来店履歴から最新のあるいは所望する店舗の店番号を取得し、その店番号と共に店舗サイトの閲覧要求をインターネットを介してサーバ４に送る。
【０１０４】
サーバ４では、ユーザＰＣ１から受取った店番号に基づいて、ヘアスタイル情報ＤＢを参照して、当該店番号に対応付けられているヘアスタイル画像を記憶部４０２から読出す。そして、読出したヘアスタイル画像を閲覧するためのヘアスタイル閲覧情報を生成し、ユーザＰＣ１に対して送信する。
【０１０５】
さらに、サーバ４は、ユーザＰＣ１からヘアスタイル画像の転送要求を受取り、該当するヘアスタイル画像をユーザＰＣ１に対して送信する。
【０１０６】
以上が当該サービス提供システムでのヘアスタイル画像登録／閲覧処理の流れである。このように、本サービス提供システムでは、各店舗が店舗ＰＣ２を用いてサーバ４に登録したヘアスタイル画像を、ユーザＰＣ１で難しい操作を行なうことなく容易に取得することができる。このため、ユーザは、カード３をＰＣに挿入して「ヘアシミュレーション」を選択するだけで、自動的に最後に行った店舗が登録しているヘアスタイル画像を閲覧／取得することができる。このため、ユーザは難しい操作を行なう必要はなく、インターネットに不慣れなユーザであっても、容易に当該店舗のヘアスタイル画像を得ることができ、自らの顔写真とシミュレートして似合うヘアスタイルを見つけることができる。さらに、ここで他店の広告などを自動的に表示させることで、広告効果がより高められる。
【０１０７】
また、各店舗も、ユーザＰＣ１で難しい操作を行なうことなく、ヘアスタイル画像を容易にサーバ４に登録することができる。このため、各店舗は、得意とするヘアスタイルを効果的にアピールすることができる。
【０１０８】
本発明のサービス提供システムでは、各店舗は、店舗ＰＣ２のＣＤ−ＲＷドライブ２１において、ユーザが持参したカード３よりユーザの個人情報や前回受けたの美容サービスに関する情報等を読出すことができる。そのため、ユーザは、どこの店舗に行っても、カード３に書込まれた情報に基づいて同様のヘアスタイルをオーダーすることができる。また、カード３に、当該ユーザの履歴や個人情報等も記録されるため、どこの店舗においても、当該ユーザに美容サービスを提供するために必要な情報をカード３から得ることができる。すなわち、どこの店舗に行っても、ユーザは、同様の美容サービスを受けることができる。
【０１０９】
なお、店舗ＰＣ２には、このようにしてカード３から読込まれたユーザ情報やサービス提供情報が保存されないような制御装置がさらに備えられることが好ましい。このような制御装置は店舗ＰＣ２に接続される装置であってもよいし、店舗ＰＣ２に当該機能が備えられてもよいし、カード３に当該機能が備えられてもよい。また、カード３に、当該カード３に記録されている情報の複写の制限や、ユーザＰＣ１への保存の制限等を行なう制御機能がさらに備えられていてもよい。ユーザは、上述のカード３を持参して、任意の店舗に行くことが考えられる。そのような場合に、上述の制御装置を備えることで、ユーザのプライバシーが確実に保護され、ユーザは安心して当該カード３を用いて美容サービスを受けることができる。
【０１１０】
なお、上述のサービス提供システムにおけるサービスの提供は、美容サービスの提供のみに限定されない。すなわち、本システムは、サービスや商品を提供する全ての業種において活用可能である。例えば、レストラン等の食事を提供する店舗において、店舗ＰＣ２を用いて、カード３に当該ユーザの来店履歴などを含むサービス提供情報を記録することもできる。この場合、カード３を挿入したユーザＰＣ１では上述と同様の処理が実行され、来店履歴の最新の店舗の店舗サイトの閲覧や、ヘアスタイル画像に換えて当該テンポのメニュー情報などの閲覧ができることが好ましい。
【０１１１】
また、本システムに含まれる店舗ＰＣ２は１つの業種の店舗に備えられるＰＣのみに限定されず、複数の業種にわたって、本システムを活用することが可能である。例えば、美容サービスを提供する店舗や、レストラン等の食事を提供する店舗等の複数の業種の店舗において活用することもできる。
【０１１２】
このような本システムを活用する店舗の店舗情報は、所定のサイトに掲載される。そして、ユーザＰＣ１において、最後に行った店舗の店舗情報が閲覧されると、サイト内の他の店舗の店舗情報に誘導されてもよい。
【０１１３】
さらに、上述の本実施の形態のサービス提供システムは、一般的なパーソナルコンピュータ等の装置を用いて、所定のプログラムをインストールすることのみで構築することができるため、各種サービスを提供する店舗において導入が容易である。
【０１１４】
なお、上述のサービス提供システムの店舗ＰＣ２においてインストールされているソフトウェアやカード３に記録されているソフトウェアを、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１５】
提供されるプログラム製品は、ハードディスクなどのプログラム格納部にインストールされて実行される。なお、プログラム製品は、プログラム自体と、プログラムが記録された記録媒体とを含む。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態におけるサービス提供システムの構成を示す図である。
【図２】ユーザＰＣ１の構成を示すブロック図である。
【図３】店舗ＰＣ２の構成を示すブロック図である。
【図４】サーバ４の構成を示すブロック図である。
【図５】サービス提供システムにおいて実行される処理を示すフローチャートである。
【図６】ステップＳ１で実行される店舗ＰＣ処理を示すフローチャートである。
【図７】ステップＳ２で実行されるユーザＰＣ処理を示すフローチャートである。
【図８】カード３を各ＰＣに挿入した際に実行される処理の流れを示す図である。
【図９】店舗ＰＣ２を用いて店舗サイトをサーバ４に登録する処理を示すフローチャートである。
【図１０】ユーザＰＣ１を用いて店舗サイトを閲覧する、ステップＳ２０５における処理を示すフローチャートである。
【図１１】サービス提供システムでの店舗サイト登録／閲覧処理の流れを示す図である。
【図１２】店舗ＰＣ２を用いてヘアスタイル画像をサーバ４に登録する処理を示すフローチャートである。
【図１３】ユーザＰＣ１において、各店舗がサーバ４に登録したヘアスタイル画像を用いてヘアシミュレーションを行なう場合の、ステップＳ２０７における処理を示すフローチャートである。
【図１４】サービス提供システムでのヘアスタイル画像登録／閲覧処理の流れを示す図である。
【符号の説明】
１  ユーザＰＣ、２  店舗ＰＣ、３  カード、４  サーバ、１１，２１  ＣＤ−ＲＷドライブ、２２  デジタルカメラ、２３  プリンタ、１０１  ユーザＰＣの制御部、１０２  ユーザＰＣの記憶部、１０３  ユーザＰＣの表示部、１０４ユーザＰＣの入力部、１０５  ユーザＰＣの通信Ｉ／Ｆ、２０１  店舗ＰＣの制御部、２０２  店舗ＰＣの記憶部、２０３  店舗ＰＣの表示部、２０４  店舗ＰＣの入力部、２０５  店舗ＰＣの通信Ｉ／Ｆ、２０６  店舗ＰＣのデジタルカメラＩ／Ｆ、４０１  サーバの制御部、４０２  サーバの記憶部、４０４  サーバの通信Ｉ／Ｆ。
【図１】
2004240647.tif 000003
【図２】
2004240647.tif 000004
【図３】
2004240647.tif 000005
【図４】
2004240647.tif 000006
【図５】
2004240647.tif 000007
【図６】
2004240647.tif 000008
【図７】
2004240647.tif 000009
【図８】
2004240647.tif 000010
【図９】
2004240647.tif 000011
【図１０】
2004240647.tif 000012
【図１１】
2004240647.tif 000013
【図１２】
2004240647.tif 000014
【図１３】
2004240647.tif 000015
【図１４】
2004240647.tif 000016